【手続補正書】
【提出日】平成19年2月16日(2007.2.16)
【手続補正１】
【補正対象書類名】明細書
【補正対象項目名】００２４
【補正方法】変更
【補正の内容】
【００２４】
本実施形態に係るテレビ受信機１００は、図１に示すように、アンテナ１０と、チューナ１２と、表示装置１４と、データ抜き取り部１６と、表示制御部１８と、中央処理装置としてのＣＰＵ２０と、時計／タイマー２１と、書き換え可能な不揮発性メモリであるＥＥＰＲＯＭ(Electrically Erasable Read-Only Memory)２２と、書き換え自在の揮発性メモリであるＲＡＭ２４と、不揮発性の読み出し専用メモリであるＲＯＭ２６と、リモコン３０から出射される赤外光を受光するリモコン受光部２８とを備えている。そして、チューナ１２とデータ抜き取り部１６と表示制御部１８とＣＰＵ２０と時計／タイマー２１とＥＥＰＲＯＭ２２とＲＡＭ２４とＲＯＭ２６とリモコン受光部２８とは、それらの間でデータ転送が可能なようにバス２９で接続されている。なお、ＣＰＵ２０は、ＲＯＭ２６に格納された所定のプログラムに基づき、下記の選局動作などを実現すべく、各部を制御する。このときＣＰＵ２０は、時計／タイマー２１から現時点の時刻（以下「現時刻」という）を示す情報を得ることができ、また、時計／タイマー２１内のタイマーの設定が可能である。そして、タイマーの設定後にその設定に対応した時間が経過してタイムアウトとなると、時計／タイマー２１からＣＰＵ２０に対して割り込み（以下「タイマー割り込み」という）が発生する。
【手続補正２】
【補正対象書類名】明細書
【補正対象項目名】００２６
【補正方法】変更
【補正の内容】
【００２６】
このテレビ受信機１００では、以下のようにしてＥＰＧ(Electronic Program Guide)機能が実現される。すなわち、データ抜き取り部１６によって得られる番組データは、図２に示すように、受信可能な各番組につき番組名とチャンネル番号（以下「ｃｈ」と略記する）と放送時間と番組ＩＤとジャンルと番組内容とを示すものであり、既述のようにＲＡＭ２４に格納される。ＣＰＵ２０は、この番組データに基づき、視聴者に番組を案内するための番組表を表すデータ（以下「番組表データ」という）を作成して、ＲＡＭ２４に格納する。表示制御部１８は、この番組表データに基づき、表示装置１４に番組表を表示させる。
【手続補正３】
【補正対象書類名】明細書
【補正対象項目名】００２８
【補正方法】変更
【補正の内容】
【００２８】
本実施形態では上記動作のうち、視聴者がリモコン３０でチャンネルを選択するための操作を行ってからその指定チャンネルに基づいてＣＰＵ２０がチューナ１２を制御するまでの動作である選局動作が、従来と相違する。すなわち、従来は、視聴者のリモコン３０に対する操作によって或るチャンネルが指定チャンネルとして選択されると、ＣＰＵ２０は、図３（ｂ）に示すような参照テーブル３９０を参照し、アンテナ１０で受信された信号の中から、この参照テーブル３９０によって指定チャンネルに対応付けられる周波数の信号をチューナ１２に抽出させる。これに対し本実施形態では、図３（ａ）に示すように、見たくない番組を選局対象から除外するための情報であるロック情報を示す項目（以下「ロック項目」という）３０２が参照テーブルに追加されている（以下、この参照テーブルを「ロック情報付き参照テーブル」ともいう）。本実施形態では、選局動作の際に、このロック情報付き参照テーブル３００に基づきチューナ１２が制御される。以下、本実施形態におけるロック項目３０２の設定（以下「ロック設定」という）および選局動作の詳細について説明する。なお、本明細書において、「番組を選局対象から除外する」とは、その番組の放送される時間帯においてその番組を放送しているチャンネルを通常の選局操作によっては選択できない状態にすることを意味するものとし、また、そのような番組の状態を「ロック状態」と呼ぶものとする。
【手続補正４】
【補正対象書類名】明細書
【補正対象項目名】００３１
【補正方法】変更
【補正の内容】
【００３１】
本実施形態では、初期状態において、ロック情報付き参照テーブル３００におけるロック項目３０２の値は、全てのチャンネルについて「−１」に設定されている。これは、いずれのチャンネルで放送されているいずれの番組も選局対象から除外されていないこと、すなわち非ロック状態であることを示している。これに対し、ロックキー３４の操作によって放送中の番組が選局対象から除外されたときには（このときの操作の詳細については後述する）、ロック情報付き参照テーブル３００において、そのチャンネルに対応するロック項目３０２の値として、その番組の番組ＩＤが設定される。以下では、ロック情報付き参照テーブル３００において各チャンネルに対して設定されているロック項目３０２の値を「ロックＩＤ」と呼ぶものとする。
【手続補正５】
【補正対象書類名】明細書
【補正対象項目名】００３９
【補正方法】変更
【補正の内容】
【００３９】
＜１.３  順次選局操作による選局動作＞
次に、受信可能なチャンネルを所定の順番で順次切り替えることにより所望のチャンネルを選択する場合の選択動作、すなわち順次選局操作が行われた場合の選局動作について説明する。通常の順次選局操作では、視聴者がチャンネルアップダウンキー３６を操作することにより所望のチャンネルを選択する。すなわち、チャンネルアップダウンキー３６の上部（以下「ＵＰキー」という）３６ａを押下する毎に受信チャンネルが所定の順序（具体的には参照テーブルに設定されているチャンネルの順序）で順次切り替わっていき（以下、この動作を「チャンネルアップ動作」という）、チャンネルアップダウンキー３６の下部（以下「ＤＯＷＮキー」という）３６ｂを押下する毎に受信チャンネルが上記順序とは逆の順序で順次切り替わっていく（以下、この動作を「チャンネルダウン動作」という）。例えば、２，４，６，８，１０，１２，Ｂ７，Ｂ９，Ｂ１１の各チャンネルが受信可能であって各チャンネルと周波数との対応がこの順に参照テーブル３９０に設定されている場合、ＵＰキー３６ａを押下する毎に受信チャンネルは、２→４→６→８→１０→１２→Ｂ７→Ｂ９→Ｂ１１→２という順序で巡回的に順次切り替わる（概ね番号の昇順に受信チャンネルが切り替わる）。一方、ＤＯＷＮキー３６ｂを押下する毎にチャンネルは、Ｂ１１→Ｂ９→Ｂ７→１２→１０→８→６→４→２→Ｂ１１という順序（上記と逆の順序）で巡回的に順次切り替わる（すなわち、概ね番号の降順に受信チャンネルが切り替わる）。なお、上記において、Ｂ７，Ｂ９，Ｂ１１は放送衛星（ＢＳ：Broadcast Satellite）によって放送されるチャンネルを示すものとする。
【手続補正６】
【補正対象書類名】明細書
【補正対象項目名】００４３
【補正方法】変更
【補正の内容】
【００４３】
まず、ＵＰキー３６ａとＤＯＷＮキー３６ｂのいずれが押下されたかを示す情報を、上記信号に含まれるチャンネルＵＰ／ＤＯＷＮ情報としてリモコン受光部２８から受け取る。次に、このチャンネルＵＰ／ＤＯＷＮ情報に基づき、ＵＰキー３６ａが押下されたか否かを判定する（ステップＳ３２）。ここで、ＵＰキー３６ａが押下されたと判定された場合は、現チャンネル番号ｃｈを、ロック情報付き参照テーブル３００に設定されているチャンネルの順序におけるその直後のチャンネル番号に更新する（ステップＳ３４）。一方、ステップＳ３２でＵＰキー３６ａが押下されなかったと判定された場合は、ＤＯＷＮキー３６ｂが押下されたことになるので、現チャンネル番号ｃｈを上記順序におけるその直前のチャンネル番号に更新する（ステップＳ３６）。このようにして、現チャンネル番号ｃｈは、ＵＰキー３６ａが押下された場合はステップＳ３４で概ね昇順方向に更新され、ＤＯＷＮキー３６ｂが押下された場合はステップＳ３６で概ね降順方向に更新される。
【手続補正７】
【補正対象書類名】明細書
【補正対象項目名】００４８
【補正方法】変更
【補正の内容】
【００４８】
いま、受信チャンネルがチャンネル４であってチャンネル４で放送されている番組の映像が表示装置１４に表示されているものとする。このとき、視聴者がロックキー３４を押下すると（図８（ａ）参照）、このロックキー３４の押下を示す信号は、赤外光としてリモコン３０からリモコン受光部２８に送られ、ＣＰＵ２０は、リモコン受光部２８からバス２９を介してその信号を電気信号として受け取る。次にＣＰＵ２０は、この信号に応答して、現時点の受信チャンネルであるチャンネル４で放送中の番組のＩＤ（番組ＩＤ）を番組データから取得し、これをチャンネル４に対するロックＩＤとしてロック情報付き参照テーブル３００に設定する。その後、視聴者によってＵＰキー３６ａが押下されると、ＣＰＵ２０は、ロック情報付き参照テーブル３００においてチャンネル４の次のチャンネルであるチャンネル６に対応する周波数を求め、その周波数の信号をチューナ１２に抽出させる。これにより、図８に示すように、受信チャンネルがチャンネル４からチャンネル６に切り替わり、チャンネル６で放送中の番組の映像が表示装置１４に表示される。
【手続補正８】
【補正対象書類名】明細書
【補正対象項目名】００５６
【補正方法】変更
【補正の内容】
【００５６】
＜１.７  第１の実施形態における変形例＞
上記第１の実施形態では、選局操作においてチャンネルが選択されたときに、選択されたチャンネル（指定チャンネル）に対するロックＩＤとして設定されている番組ＩＤの示す番組の放送が終了しているか否か（現時刻がその番組の放送終了時刻を過ぎているか否か）を調べ、その放送が終了している場合にその指定チャンネルに対するロックＩＤを「−１」に設定することによりロックを解除している。しかし、これに代えて、ロックキー３４が押下されたときに時計／タイマー２１におけるタイマーを設定してロックを解除するようにしてもよい。すなわち、ロックキー３４が押下されたときに、上記と同様にしてそのときの受信チャンネルに対するロックＩＤとしてその受信チャンネルで放送中の番組のＩＤをロック情報付き参照テーブル３００に設定するとともに、その受信チャンネルで放送中の番組の終了時刻を番組データで調べ、その終了時刻にタイムアウトとなるようにＣＰＵ２０が時計／タイマー２１内のタイマーを設定する。そしてタイムアウトになると、時計／タイマー２１からＣＰＵ２０に対する割り込みが発生し、このタイマー割り込みに基づきＣＰＵ２０は、ロック情報付き参照テーブル３００において、放送時間の終了した番組のチャンネルに対するロックＩＤを「−１」に変更する。
【手続補正９】
【補正対象書類名】明細書
【補正対象項目名】００５９
【補正方法】変更
【補正の内容】
【００５９】
本実施形態では、第１の実施形態と同様、ＣＰＵ２０は、データ抜き取り部１６によって得られた番組データから番組表データを作成する。表示制御部１８は、この番組表データに基づき、図１０に示すように、番組表を含む視聴予約画面を表示装置１４に表示する。視聴者は、この視聴予約画面の表示を見て所望の番組を視聴予約すべく、リモコン３０を操作する。本実施形態における視聴予約では、通常とは異なり、同一時間帯に放送される複数番組に対し視聴予約することができる。そして、番組表に現れる放送予定の番組のうち視聴予約されなかった番組は、ロック状態に設定される。このときのロック設定は、ＣＰＵ２０により下記のようにして行われる。
【手続補正１０】
【補正対象書類名】明細書
【補正対象項目名】００６５
【補正方法】変更
【補正の内容】
【００６５】
＜２.２  選局操作による選局動作＞
本実施形態では、上記のようにして、ロック予約番組のうち現時刻が放送開始時刻に到達した番組に対応するロック項目の設定が、ロック情報付き参照テーブル３００において行われる。そしてＣＰＵ２０は、Ｐｏｓキーによる直接選局操作が行われた場合には図６に示す処理手順に従って動作し、チャンネルアップダウンキー３６による順次選局操作が行われた場合には図７に示す処理手順に従って動作する。これにより本実施形態では、視聴予約に基づき図１１に示すようなロックテーブルが作成された場合において例えば順次選局操作が行われたときには、受信チャンネルは図１４に示すように切り替わる。すなわち、ロック情報付き参照テーブル３００にはチャンネル２，４，３４，８，３６，１２に対して周波数が設定されているものとすると、９時００分の時点では、受信可能ないずれのチャンネルで放送中の番組もロック状態ではないので、順次選局操作が行われると、ＵＰキー３６ａが押下される毎に受信チャンネルは、２→４→３４→８→３６→１２→２という順序で順次切り替わる。これに対し、１０時００分の時点では、受信可能なチャンネルで放送中の番組のうちチャンネル８で放送中の番組のみが非ロック状態であり、チャンネル２，４，３４，１２で放送中の番組はロック状態であるので、受信チャンネルは、ＵＰキー３６ａが押下されてもチャンネル８のままである。また、１０時４５分の時点では、１０時００分にチャンネル２，４，３４，１２で放送が開始されたロック状態の番組は終了しており、一方で、チャンネル２，４，１２で放送中の番組がロック状態となるので、ＵＰキー３６ａが押下される毎に受信チャンネルは、３４→８→３６→３４という順序で順次切り替わる。そして、１１時３０分の時点では、１０時４５分にチャンネル２，４，１２で放送が開始されたロック状態の番組は終了しており、その後にロック状態となった番組はないので、ＵＰキー３６ａが押下される毎に受信チャンネルは、２→４→３４→８→３６→１２→２という順序で順次切り替わる。
【手続補正１１】
【補正対象書類名】明細書
【補正対象項目名】００７２
【補正方法】変更
【補正の内容】
【００７２】
本実施形態では、第２の実施形態と同様、ＣＰＵ２０は、データ抜き取り部１６によって得られた番組データから番組表データを作成し、表示制御部１８は、この番組表データに基づき、番組表を含む視聴予約画面を表示装置１４に表示する（図１０参照）。視聴者は、この視聴予約画面の表示を見て所望の番組を視聴予約すべく、リモコン３０を操作する。また、本実施形態では、図１０に示すような視聴予約画面の代わりに、番組データに基づき図１５に示すような視聴ジャンル選択画面を表示装置１４に表示し、リモコン３０を操作することによって、視聴する番組のジャンルを選択することもできる。本実施形態における視聴予約では、視聴ジャンル選択画面に現れたジャンルの中から視聴者によって１つまたは複数のジャンルが選択されると（以下、ここで選択されたジャンルを「視聴ジャンル」という）、視聴ジャンルに属する番組以外の全ての番組（ただし放送の終了している番組を除く）が、ロック状態に設定される。このときのロック設定は、ＣＰＵ２０により下記のようにして行われる。
【手続補正１２】
【補正対象書類名】明細書
【補正対象項目名】００７９
【補正方法】変更
【補正の内容】
【００７９】
＜３.４  第３の実施形態の変形例＞
上記第３の実施形態では、視聴ジャンルの選択によって決まる放送予定の番組がロック状態に設定されるが、視聴ジャンルの選択によって決まる放送中の番組がロック状態に設定される構成としてもよい。この場合、視聴者によって視聴ジャンルが選択されると、その選択の時点（現時点）で放送中の番組のうち視聴ジャンルに属する番組以外の番組につき、ＣＰＵ２０が、その番組のＩＤを番組データ２００から取得し、その番組の放送チャンネルに対応するロックＩＤとしてその番組のＩＤをロック情報付き参照テーブル３００に設定するようにすればよい。このようなロック設定の後における選局動作のためのＣＰＵ２０の処理手順は第１の実施形態の場合と同様である。すなわち、この場合、ＣＰＵ２０は、直接選局操作が行われると図６のフローチャートに従って動作し、順次選局操作が行われると図７のフローチャートに従って動作する。このようなＣＰＵ２０の動作により、選局動作は下記のようになる。
いま、視聴者が表示装置１４に視聴ジャンル選択画面を表示させて「映画」および「スポーツ」を視聴ジャンルとして選択したものとし、その選択の時点である午後９時３０分に放送されている番組についての番組データの内容が図１８に示す通りであったとする。この場合、午後９時３０分の時点で、「映画」と「スポーツ」のいずれかのジャンルに属する番組が放送されているチャンネルは１９、３４およびＢＳ５であるので、これらの以外のチャンネルで放送されている番組はジャンルロック番組であってロック状態に設定される。したがって、この視聴ジャンル選択の後に視聴者がリモコン３０のＵＰキー３６ａによって順次選局操作を行うと、ＵＰキー３６ａが押下される毎に受信チャンネルは、１９、３４およびＢＳ５の３つのチャンネルの間で１９→３４→ＢＳ５→１９という順序で順次切り替わる。このようにして、放送中の番組のうち視聴ジャンルに属する番組以外の番組は選局対象から除外され、視聴ジャンルに属する番組を放送しているチャンネルのみの間で選局が可能となる。
【手続補正１３】
【補正対象書類名】明細書
【補正対象項目名】符号の説明
【補正方法】変更
【補正の内容】
【符号の説明】
１４…表示装置
１６…データ抜き取り部
１８…表示制御部
２１…時計／タイマー
２０…ＣＰＵ
２２…ＥＥＰＲＯＭ
２４…ＲＡＭ
２６…ＲＯＭ
２８…リモコン受光部
３０…リモコン
３２…ポジションキー（Ｐｏｓキー）の配置された領域
３４…ロックキー
３６…チャンネルアップダウンキー
３６ａ…ＵＰキー
３６ｂ…ＤＯＷＮキー
１００…テレビ受信機
２００…番組データ
２１０…ロック情報付き番組データ
３００…ロック情報付き参照テーブル
３０２…（ロックＩＤからなる）ロック項目
３０４…（ロックフラグからなる）ロック項目
３９０…参照テーブル（ロック情報無し）
４００…チャンネルロック予約テーブル